(57)【要約】【課題】ルーフモールクリップに貼着する準構造用アクリルフォームテープを切断する際に、切断刃等への付着を防止し、また、貼着時にはテープ片に再び接着力を付与することができ、そのテープ片を正確な位置に貼着することのできる切断貼着装置を提供する。【解決手段】両面接着テープを保持するテープ保持部１１と、切断刃１３と、刃受台１４を有するテープ切断部１と、切断されたテープ片４ｂをワーク５まで搬送するテープ片吸着ノズル３１と、ワーク５上に載置されたテープ片４ｂを押圧するテープ片押圧杆３２と、切片吸引ノズル３１の摺動方向と直交する方向へ摺動可能なテーブル３４を有するテープ片貼着部３と、テープ切断部１とテープ片貼着部３とを連絡するテープ搬送部２とからなる両面接着テープ自動切断貼着装置に、切断前のテープ４ａを冷却する冷却用エアーノズル１５と、貼着時のテープ片を加熱する予熱用エアーノズル３３を設ける。【選択図】　　　図１
2004010203.tif 000002
【特許請求の範囲】
【請求項１】
両面接着テープを送出可能に保持するテープ保持部と、送出されたテープを所定の長さに切断する切断部と、該切断部で切断されたテープ片を被接着対象物まで搬送した後、当該被貼着面にテープ片を押圧固定するテープ片貼着部とからなる両面接着テープ自動切断貼着装置において、切断前のテープを一旦冷却する冷却手段と、貼着時のテープ片を加熱する加熱手段を設けたことを特徴とする両面接着テープ自動切断貼着装置。
【請求項２】
両面接着テープを送出可能に保持するテープ保持部と、切断刃と刃受台を有し、送出されたテープを所定の長さに切断する切断部と、切断されたテープ片を一旦吸着して被接着対象物（ワーク）まで搬送した後、当該被接着対象物（ワーク）の被貼着面上で離反して、載置するテープ片吸着ノズルと、被貼着面上に載置されたテープ片を押圧貼着するテープ片押圧杆とを有するテープ片貼着部と、前記切断部と該テープ片貼着部とを連結するテープ搬送部とからなる両面接着テープ自動切断貼着装置において、切断前のテープを一旦冷却する冷却手段と、貼着時のテープ片を加熱する加熱手段を設けたことを特徴とする両面接着テープ自動切断貼着装置。
【請求項３】
被接着対象物（ワーク）を設置するテーブルが、切片吸引ノズルの摺動方向と交差する方向へ摺動可能にされたことを特徴とする請求項１又は請求項２記載の両面接着テープ自動切断貼着装置。
【発明の詳細な説明】
【０００１】
【産業上の利用分野】
本発明は、両面接着テープの切断貼着装置に関し、特に車輌のルーフモールクリップに貼着される両面接着テープの一種である、準構造用アクリルフォームテープを切断、貼着するのに好適な自動切断貼着装置に関するものである。
【０００２】
【従来の技術】
車輌部品の一つであるルーフモールクリップの一側面に準構造用アクリルフォームテープを貼り付ける装置として、帯状のテープ接着面にルーフモールクリップをテープの幅の方向に敷き詰めて、そのクリップ間を切断するものがある。しかし、この装置ではルーフモールクリップの幅でテープが切断されるため、被貼着面に余剰な長さのテープが貼着されていた。
そこで、両面接着テープを所望の長さに切断し、貼着する装置として、例えば、テープ切断圧着装置およびテープ切断圧着方法（特開２０００−２９９４２４号公報所載）が提案されている。これは両面接着テープを切断し、微細なＩＣのリードフレーム上に貼着する装置である。この装置では、テープホルダーから送出されたテープが上下面をプッシャーで押圧固定され、テープの先端部が回転刃によって切断される。そこで切断されたテープ切片は、吸引されてリードフレーム上まで運搬されると、ヒーターによって加熱されているリードフレーム上の被貼着面に設置され、固着する。この装置で使用されている両面接着テープは、加熱時に初めて接着力が発生するタイプである。
【０００３】
【問題が解決しようとする課題】
しかしながら、ルーフモールは車体の屋根部に取付けられるため、使用される両面接着テープは気候変化や乾燥、降水による老朽に強い準構造用アクリルフォームテープでなくてはならない。しかし、準構造用アクリルフォームテープも加熱後に熱硬化することで、高い最終接着力が得られるが、加熱前にも通常の接着力を有しており、切断時にテープ面を押圧固定するタイプの装置は使用することができない。
そこで本発明は、ルーフモールクリップに貼着する準構造用アクリルフォームテープを切断する際の、切断刃等への付着を防止することができ、また、貼着時には、テープ片に再び接着力を付与することを目的とするものである。さらに、本発明は正確な位置にテープ片を貼着することのできる自動切断貼着装置を提供することを第二の目的とするものである。
【０００４】
【問題を解決する手段】
このため本発明では、両面接着テープを送出可能に保持するテープ保持部と、切断刃と刃受台を有し、送出されたテープを所定の長さに切断する切断部と、切断されたテープ片を一旦吸着して被接着対象物（ワーク）まで搬送した後、当該被接着対象物（ワーク）の被貼着面上で離反して、載置するテープ片吸着ノズルと、被貼着面上に載置されたテープ片を押圧貼着するテープ片押圧杆と、切片吸引ノズルの摺動方向に交差する方向へ摺動可能にされた被接着対象物（ワーク）を設置するテーブルを有するテープ片貼着部と、前記切断部と該テープ片貼着部とを連結するテープ搬送部とからなる両面接着テープ自動切断貼着装置において、切断前のテープを一旦冷却する冷却手段と、貼着時のテープ片を加熱する加熱手段を設けたことを特徴とする。
【０００５】
【発明実施の形態】
本発明の形態を図面に示す実施例に基づいて説明する。図１は本発明に係る両面粘着テープ自動切断貼着装置の斜視図、図２は本発明に係る両面粘着テープ自動切断貼着装置のテープ切断部を示す斜視図、図３は本発明に係る両面粘着テープ自動切断貼着装置のテープ貼着部を示す斜視図、図４は本発明に係る両面粘着テープ自動切断貼着装置の搬送台座が刃受台にセットされた状態を示す斜視図である。
【０００６】
【実施例】
図１に示すように、本発明に係る両面接着テープ切断貼装置は、テープ切断部１とテープ片貼着部３との間を摺動可能に設けられたテープ片搬送部２によって連絡されている。図２に示すように、テープ切断部１には、回転してテープを送出するテープ保持部１１があり、送出されたテープ４ａの上方には切断刃１３が垂直に設けられており、テープ４ａを挟んで切断刃１３の直下には、切断刃１３に対して平行に設置された方形状の刃受台１４が設けられている。そして、刃受台１４の上部には排気口がテープ４ａの先端に向けられた冷却用エアーノズル１５が設置されている。前記刃受台１４の後部には、テープ保持部１１から送出されたテープ４ａを引き出し、支持するための支軸１２ａ、１２ｂが平行に設置されており、その下部には、ライナー剥離ローラー１２が設置されている。
【０００７】
前記ライナー剥離ローラー１２は、駆動手段（図示せず）によって定期的に回動し、支軸１２ｂ部から分離されたライナー４ｃを挟持して、一定の長さで巻き込むようにされている。ライナー４ｃの取り除かれたテープ４ａの先端は、刃受台１４の上部に支持されているため共に巻き込まれることなく、テープ４ａ自身が有する保形力により前方に送出するように構成されている。従来はテープ片４ｂ貼着後に、作業者が手作業でライナーを取り除かなくてはならなかった。しかし、本発明に係る両面接着テープ自動切断貼着装置は、ライナー剥離ローラー１２を取り入れ、切断前にライナー４ｃを取り除くため、そのような煩わしい作業を省くことができる。
【０００８】
図３に示すように、テープ片貼着部３は、このテープ切断部１に並列して設けられている。テープ片吸引ノズル３１は、テープ切断部１より移動してきたテープ片搬送部２とワーク５の上部を略コの字形に摺動するように設けられている。前記テープ片吸引ノズル３１は、真空吸着装置（図示せず）に連通させられ、この真空吸着装置を駆動させることによってテープ片４ｂを吸引して運搬し、ワーク５上でテープ片４ｂを離反して、載置することができるようになっている。このワーク５の上部には、貼着時のテープ片４ｂを加熱する手段として予熱用エアーノズル３３が設置されている。テープ片４ｂが予熱用エアーノズル３３によって加熱されたワーク５の被貼着面に載置されると、前記テープ片吸引ノズル３１の動作に追随して稼動するテープ片押圧杆３２が上方から押圧貼着する。また、前記ワーク５を設置するためのテーブル３４は、前記切片吸引ノズル３１の摺動方向と直交する方向に摺動可能にされている。これらの摺動幅はコンピュータ（図示せず）によって制御されているため、被接着面の精密な位置決めができ、正確な位置での貼着が可能となるようにされている。
【０００９】
テープ片搬送部２は、テープ切断部１の刃受台１４の前面と、テープ片貼着部３のテープ片吸引ノズル３１の直下までを摺動し、切断されたテープ片４ｂをテープ切断部１からテープ片貼着部３まで運搬するために設けられたものである。図４に示すように、本発明に係るテープ片搬送部２は上面の一端に凹型の切片固定枠２ａが設けられており、テープ片搬送部２が刃受台１４の前面を覆うようにセットされた状態にあるとき、テープ４ａの先端は、切片固定枠２ａまで送出され、切断される。切断されたテープ片４ｂは、切片固定枠２ａに載せられたままテープ片貼着部３まで水平に移動する。
【００１０】
次に、本発明に係る両面接着テープ自動切断貼着装置の工程を説明する。図１に示すように、捲巻テープ４はテープ保持部１１に取付けられており、ここから手前に引き出されたテープ４ａは、ライナー剥離ローラー１２が回動すると、支軸１２ａで刃受台１４の上面と平行になるように引き出され、支軸１２ｂ部でライナー４ｃが分離されて、テープ片搬送部２の切片固定枠２ａまで送出され、冷却用エアーノズル１５から吐出されるエアーにより冷却される。冷却によって一時的に接着力を弱められ、固化されたテープ４ａは、テープ幅を利用して幅の方向に切断するスクラップレスと呼ばれる方式で、切断刃１３を垂直に押圧し、押し切り型で切断される。
【００１１】
切片固定枠２ａにテープ片４ｂを載せたテープ片搬送部２が移動し、テープ片貼着部３の所定の位置に到達すると、テープ片４ｂはテープ片吸引ノズル３１によって吸引されて持ち上げられ、ワーク５の上方まで水平に移動し、ワーク５の上方に達すると降下して被貼着面に載置される。ワーク５は、予熱用エアーノズル３３から放出される熱により予め被貼着面が暖められているため、冷却されているテープ片４ｂに再び接着力を付与することができ、テープ片４ｂはテープ片押圧杆３２によって上方から押圧貼着され、被貼着面に仮接着させられる。
【００１２】
このようにして、テープの切断から貼着までの１サイクルの工程が終了する。その後、テープ片搬送部２が刃受台１４の位置まで戻り、図４に示す状態になると、切断刃１３が上昇し、刃受台１４に付着しているテープ４ａの先端は、駆動機構であるシリンダー（図示せず）の振動により剥がされる。すると、再びライナー剥離ローラー１２が回動し、テープ４ａの先端がテープ片搬送部２まで送出されて、上述の工程が繰り返される。そして、被貼着面にテープ片４ｂが仮接着されたワーク５は、取出された後にオーブンで加熱され、テープ片４ｂが熱硬化することで被貼着面に強固に接着させられる。
【００１３】
テープ４は冷却用エアーノズル１５と予熱用エアーノズル３３から吐出される各々の冷気と暖気によって接着力をコントロールされている。冷却用エアーによって−１０℃前後に冷却されると、テープ４ａの接着力が弱まるため、装置への付着を防止するができる。また、予熱用エアーノズル３３で貼着時に熱を与えることで、テープ片４ｂは、再び接着力が付与されてワーク５に接着する。この冷却、加熱機構（図示せず）は冷蔵庫と同じ原理を使用し、加熱用の暖気は冷気を作る際に生じる廃熱を利用するものが好ましい。尚、この冷却と加熱の温度は、使用する両面接着テープの温度別特性によって自由に設定することができる。そのため、この装置は準構造用アクリルフォームテープの切断、貼着だけでなく、加熱前から接着力を有する他種の両面粘着テープにも広く使用することができる。
【００１４】
切片固定枠２ａとテープ片吸引ノズル３１と、テープ片圧着杆３２等の両面接着テープが直に接触する面は、テープの装置付着を防止するために、フッ素系コーティング処理等をする事が好ましい。しかし、必ずしもこれらの処理ではなく、テープの糊付着を妨げるもので代用することができる。
【００１５】
【発明の効果】
本発明は、上記のように構成したので、以下のような優れた効果がある。
（１）ルーフモールクリップに貼着する準構造用アクリルフォームテープを切断する際に、テープ切断部に冷却手段を設けたことで、切断刃等への付着を防止することができ、また、テープ片貼着部には加熱する手段を設けたので、テープ片に再び接着力を持たせることができる。
（２）ワークを設置するためのテーブルを、切片吸引ノズルの摺動方向と交差する方向に摺動可能にしているため、被貼着面の精密な位置決めができ、正確な位置への両面接着テープの貼着が可能になる。
【図面の簡単な説明】
【図１】本発明に係る両面接着テープ自動切断貼着機を示す斜視図である。
【図２】本発明に係る両面接着テープ自動切断貼着機のテープ切断部を示す斜視図である。
【図３】本発明に係る両面接着テープ自動切断貼着機のテープ片貼着部を示す斜視図である。
【図４】本発明に係る両面接着テープ自動切断貼着機のテープ片搬送部が刃受台にセットされた状態を示す斜視図である。
【符号の説明】
１　　　　テープ切断部
１１　　　テープ保持部
１２　　　ライナー剥離ローラー
１２ａ　　支軸
１２ｂ　　支軸
１３　　　切断刃
１４　　　刃受台
１５　　　冷却用エアーノズル
２　　　　テープ片搬送部
２ａ　　切片固定枠
３　　　　テープ片貼着部
３１　　　テープ片吸引ノズル
３２　　　テープ片圧着杆
３３　　　予熱用エアーノズル
３４　　　テーブル
４　　　　捲巻テープ
４ａ　　　テープ
４ｂ　　　テープ片
４ｃ　　　ライナー
５　　　　ワーク
【図１】
2004010203.tif 000003
【図２】
2004010203.tif 000004
【図３】
2004010203.tif 000005
【図４】
2004010203.tif 000006